(57)【特許請求の範囲】
【請求項１】
下部を浄化槽立上がり部に固定され、上部をマンホール枠に固定されるジャバラ構造の筒体と、この筒体の外力を加えないときの高さよりも長い棒状支持体とを備え、浄化槽立上り部と筒体との固定、及び、筒体とマンホール枠との固定が、上記棒状支持体によりなされ、この棒状支持体が、ネジ部を有するボルト・ナットであり、上記固定をボルト・ナットのネジ固定により行う嵩上枠。
【請求項２】
請求項１に記載の嵩上枠を備えた浄化槽。
【発明の詳細な説明】
【０００１】
【発明の属する技術分野】
本発明は、浄化槽のマンホール部の高さを調整するための嵩上枠及びその嵩上枠を用いた浄化槽に関する。
【０００２】
【従来の技術】
浄化槽は、汚水を浄化するための装置であり、通常は地中に埋設して使用する場合が多い。図２は、汎用されている浄化槽の全体図（正面図）で、流入口から流入した汚水は、浄化槽内（槽内部の構造は省略）で有機物は分解・処理され、処理水は放流口から放流される。浄化槽の上面には、浄化槽内部の機器及び水質の点検の際に使用するマンホールが複数個設けられている。
【０００３】
従来のマンホール部の構造のいくつかの例を図３〜図５に示す。図３は、ボルト及びナットを用いて、浄化槽の立上り部２にマンホール枠３を固定し、そのマンホール枠３上にマンホール蓋４を載置する構造である。
【０００４】
図４は、図３の構造の変形で立上り部２とマンホール枠３の間にスペーサ５を挾み、高さを調整する構造である。
図５は、浄化槽の立上り部２とマンホール枠３の間に嵩上枠６を設け、高さを調整する構造である。
【０００５】
【発明が解決しようとする課題】
前述した通り、浄化槽は通常、地中に埋設して使用する場合が多い。浄化槽を地中に埋設する際には、マンホール蓋が地面高さになるように穴を掘るが、配管の関係で流入口を下げる等の必要が生じた場合には、より深い穴を掘ることとなる。一方、マンホール蓋の高さ（地表と同じ高さ）は変えることができないので、マンホール部の構造は高さを調整できるものでなければならない。
しかし、図３に示したマンホール部の構造では、マンホール蓋の高さを調整することができない。
【０００６】
図４に示したマンホール部の構造では、スペーサを挾む手間を要し、また高さ調整も容易ではない。
図５に示したマンホール部の構造は、所定高さのものを予め用意しておけば、不必要部分を切断するだけなので高さ調整は容易であるが、切断カスが廃棄物となり無駄となる。
本発明は、スペーサを必要とせず、あるいは切断カス（廃棄物）を発生させずに、容易にマンホール蓋の高さを調整でき、現場における浄化槽の設置時間が短縮するマンホール部の構造を提供することを目的とする。
【０００７】
【課題を解決するための手段】
本発明は、下部を浄化槽立上がり部に固定され、上部をマンホール枠に固定されるジャバラ構造の筒体と、この筒体の外力を加えないときの高さよりも長い棒状支持体とを備え、浄化槽立上り部と筒体との固定、及び、筒体とマンホール枠との固定が、上記棒状支持体によりなされ、この棒状支持体が、ネジ部を有するボルト・ナットであり、上記固定をボルト・ナットのネジ固定により行う嵩上枠を提供する。また、本発明は、この嵩上枠を備えた浄化槽を提供するものである。
【０００８】
【発明の実施の形態】
本発明の一実施形態における、浄化槽立上り部とマンホール部（断面図）を図１に示した。立上り部２に嵩上枠６が接続・固定され、その嵩上枠の上部にマンホール枠３が接続・固定され、そのマンホール枠３にマンホール蓋４が載置されている。嵩上枠６はジャバラ構造を有する筒体であるゆえにマンホール枠３の高さ（すなわち、マンホール蓋４の高さ）が調整できる。
なお、図１の（Ａ）は嵩上枠６に外力を加えないときの状態の図であり、図１の（Ｂ）は嵩上枠６に垂直方向に（固定具による）締め付け力を加えて、嵩上枠６を縮めた状態の図である。
【０００９】
嵩上枠の材質は、垂直方向に伸縮可能な特性を考慮するとプラスチックが好ましく、そのプラスチックとしては、例えば、ポリエチレン、ポリプロピレン、軟質塩化ビニル等があり、好ましくはポリプロピレンである。
垂直方向に伸縮可能な特性は、嵩上枠のジャバラ構造と材料（プラスチック）の柔軟性によって発揮される。嵩上枠（筒体）の厚みは、１〜４ｍｍ、好ましくは２〜３ｍｍで均一とし、ジャバラ構造の隣合う山と谷の長さ（間隔）は約２０〜４０ｍｍとし、山（又は谷）の数は約４〜２０個とする。嵩上枠（筒体）の径の大きさは人の出入り可能な大きさとし、嵩上枠（筒体）の高さは外力を加えない状態で約５０〜３００ｍｍとする。このようなジャバラ構造の嵩上枠は、プラスチックの成形等により製造できる。
【００１０】
マンホール用立上り部と嵩上枠の接続・固定、並びに嵩上枠とマンホール枠との固定は種々の方法を用いることができるが、好ましいものとしては、棒状支持体を介するものである。棒状支持体を使用する場合、その棒状支持体の下部でマンホール用立上り部と嵩上枠とを接続・固定し、棒状支持体の上部で嵩上枠とマンホール枠とを接続・固定する。
【００１１】
棒状支持体としては、前記嵩上枠の外力を加えないときの円筒高さ（約５０〜３００ｍｍ）よりも少し長めの棒状体が好ましく、このようなものとして例えば、ネジ部を有するボルト・ナット等がある。その材質は特に限定されるものではないが、強度や安定性を確保する点からステンレスや防錆処理された鉄等が好ましく用いられる。棒状支持体としてネジ部を有するボルト・ナットを用いる場合、マンホール枠と嵩上枠の接続・固定は、前記図１に示したように、ボルトの頭による支持とボルト・ナットのネジ固定により行ない、また、嵩上枠とマンホール枠との固定はボルト・ナットのネジ固定により行なうことができる。ボルト
・ナットのネジ込み深さを調整することにより嵩上げ高さを調整できる。
本発明の嵩上枠はジャバラ構造を有するので垂直方向の力には弱い。そのため、棒状支持体は複数個とし、好ましくは３〜６本とする。
【００１２】
本発明の浄化槽は、マンホール用立上り部に、前記した本発明の嵩上枠を接続・固定し、これにマンホール枠を接続・固定し、これにマンホール蓋を載置した構造で、全体外観は先に述べた図２と同様である。浄化槽本体はプラスチック製であり、その内部は上流側から嫌気濾床槽、好気濾床槽、沈殿槽（又は処理水槽）、消毒槽等に区切られている。
【００１３】
【発明の効果】
本発明の嵩上枠を用いれば、スペーサを必要とせず、あるいは切断カス（廃棄物）を発生させずに、浄化槽のマンホール蓋の高さを容易に調整できる。そのため、現場における浄化槽の設置時間を短縮できる。また、浄化槽を設置する土地が多少傾斜していても、固定具（ネジ固定等）の調整によりその土地の傾斜に適応させることができる。
【図面の簡単な説明】
【図１】本発明の浄化槽における、浄化槽立上り部とマンホール部の断面図である。（Ａ）は嵩上枠に外力を加えないときの状態であり、（Ｂ）は嵩上枠に垂直方向に（固定具による）締め付け力を加えて、嵩上枠を縮めた状態の図である。
【図２】汎用されている浄化槽の全体図（正面図）である。
【図３】従来の浄化槽マンホール部の構造を示す断面図である。
【図４】従来の他の例の浄化槽マンホール部の構造を示す断面図である。
【図５】従来の別の例の浄化槽マンホール部の構造を示す断面図である。
【符号の説明】
１…浄化槽              ２…立上り部            ３…マンホール枠
４…マンホール蓋        ５…スペーサ            ６…嵩上枠
７…ボルト              ８…ナット
【図１】
0004006744.tif 000002
【図２】
0004006744.tif 000003
【図３】
0004006744.tif 000004
【図４】
0004006744.tif 000005
【図５】
0004006744.tif 000006